(57)【要約】【課題】  本発明は情報伝送システムに関し、伝送装置間のデータ伝送品質を劣化させることのない、効率のよい情報伝送システムを提供することを目的としている。【解決手段】  パケットを伝送するＰ−Ｐ型伝送装置において、スピード／デュープレックス情報を格納する専用バイトをペイロード上に挿入する挿入手段２０と、対向装置から送信されたペイロード上の専用バイト内のスピード／デュープレックス情報を検出する検出手段２１と、対向装置に合わせた伝送速度調整を行なう伝送速度調整手段２２と、を有して構成される。そして、検出手段２１の検出結果に応じて伝送速度調整手段２２が伝送速度調整を行なう。【選択図】図１
2005080038.tif 000002
【特許請求の範囲】
【請求項１】
パケットを伝送するＰ−Ｐ型伝送装置において、
スピード／デュープレックス情報を格納する専用バイトをペイロード上に挿入する挿入手段と、
対向装置から送信されたペイロード上の専用バイト内のスピード／デュープレックス情報を検出する検出手段と、
対向装置に合わせた伝送速度調整を行なう伝送速度調整手段と、
を有して構成される情報伝送システム。
【請求項２】
パケットを伝送するＰ−Ｐ型伝送装置において、
リンク情報を格納する専用バイトをペイロード上に挿入する挿入手段と、
対向装置から送信されたペイロード上の専用バイト内のリンク情報を検出する検出手段と、
対向装置に合わせたリンク制御を行なうリンク制御手段と、
を有して構成される情報伝送システム。
【請求項３】
パケットを伝送するＰ−Ｐ型伝送装置において、
フロー制御情報を格納する専用バイトをペイロード上に挿入する挿入手段と、
対向装置から送信されたペイロード上に専用バイト内のフロー制御情報を検出する検出手段と、
を有して構成される情報伝送システム。
【請求項４】
パケットを伝送するＰ−Ｐ型伝送装置において、自局トラフィック流量情報を格納する専用バイトをペイロード上に挿入する挿入手段と、
対向装置から送信されたペイロード上の専用バイト内の自局トラフィック情報を検出する検出手段と、
対向装置に合わせたトラフィックを調整するトラフィック調整手段と、
を有することを特徴とする情報伝送システム。
【請求項５】
パケットを伝送するＰ−Ｐ型伝送装置において、
自局速度偏差情報を格納する専用バイトをペイロード上に挿入する挿入手段と、
対向装置から送信されたペイロード上の専用バイト内の自局速度偏差情報を検出する検出手段と、
対向装置に合わせた伝送速度調整を行なう伝送速度調整手段と、
を有することを特徴とする情報伝送システム。
【発明の詳細な説明】
【技術分野】
【０００１】
本発明はＰ−Ｐ（Ｐｏｉｎｔ  ｔｏ  Ｐｏｉｎｔ）伝送装置に適用する情報伝送システムに関する。更に詳しくは、イーサネット（Ｅｔｈｅｒｎｅｔ：富士ゼロックス株式会社の登録商標）等のパケット伝送時に自局情報を対向装置に通知し、又は対向装置からの情報を受信することが可能な情報伝送システムに関する。
【０００２】
近年、イーサネット等のパケットを伝送する伝送装置の発達はめざましく、高品質、高効率なパケット伝送技術が要求されてきている。
【背景技術】
【０００３】
図９は従来システムの概念図である。図に示すシステムは、リング構成を用いたＰ−ＰＯｖｅｒＳＤＨ型伝送装置の運用例を示している。ここで、ＳＤＨはＳｙｎｃｈｒｏｎｏｕｓ  Ｄｉｇｉｔａｌ  Ｈｉｅｒａｒｃｈｙ（高速中継速度体系の国際規格）の略である。図において、１は自局装置である伝送装置、２は対向側装置である伝送装置、３，４はこれら伝送装置と同じくリング型中継線７に接続される伝送装置である。５は伝送装置１と接続される接続機器としてのルータである。このように構成されたシステムの動作を説明すれば、以下の通りである。
【０００４】
先ず、ルータ５から受信されたＥｔｈｅｒｎｅｔ（イーサネット）等のパケットは、Ｐ−Ｐプロトコルによりカプセリング処理をされ、ＳＤＨペイロード（Ｐａｙｌｏａｄ）にパス（Ｐａｔｈ）単位でマッピングされ、対向装置２側に伝送される。対向装置２側に伝送されたパケットは、ＳＤＨペイロードからパス毎に取り出され、デカプセリング処理がなされ、イーサネット等のパケットをルータ６に送出する。
【０００５】
図１０は通常のＳＤＨフレームフォーマットの構成例を示す図である。ＳＤＨフレームは、ＳＴＭ−４フレームの場合、図に示すように１０８０バイト×９バイトの大きさをもっている。その頭の部分の３６バイト×９バイトの部分は、セクションオーバヘッドと呼ばれる部分である。
【０００６】
最初の３６バイト×３バイトの部分１０は、Ｒｅｇｅｎｅｒｔｏｒ  Ｓｅｃｔｉｏｎ  Ｏｖｅｒｈｅａｄ（ＲＳＯＨ：中継セクションオーバヘッド）と呼ばれる。次の、３６バイト×１バイトの部分は、ＡＵ−ＰＴＲｓ（Ａｄｍｉｎｉｓｔｒａｔｉｖｅ  Ｕｎｉｔ  Ｐｏｉｎｔｅｒ：ＡＵポインタ）は、ＶＣ（バーチャルコンテナ）３又はＶＣ４をＳＴＭ−４（Ｓｙｎｃｈｒｏｎｏｕｓ  Ｔｒａｎｓｐｏｒｔ  Ｍｏｄｕｌｅ  Ｌｅｖｅｌ−４）に乗せる時の位相差表示アドレスである。最後の３６バイト×５バイトの部分は、ＭＳＯＨ（Ｍｕｌｔｉｐｌｅｘ  Ｓｅｃｔｉｏｎ  Ｏｖｅｒｈｅａｄ：端局セクションオーバヘッド）と呼ばれる。このセクションオーバヘッド部分には、例えばＣＲＣ情報等が格納される。
【０００７】
セクションオーバヘッド以外のデータ部分には、図に示すパケット１１が挿入される。パケット１１は、ＶＣ（Ｖｉｒｔｕａｌ  Ｃｏｎｔａｉｎｅｒ：パスの大きさの種類）３又はＶＣ４で構成される。１２はパスオーバヘッド（ＰＯＨ）と呼ばれるもので、パスを監視制御するためのサービスビットエリアである。このパスオーバヘッド１２以外の部分はペイロード１３で、データが格納される。
【０００８】
この種の従来の技術としては、端末からの帯域要求を検出すると、要求された帯域に応じてＳＤＨ／ＳＯＮＥＴ層５−４に対して所定のタイムスロット割り当てを指示し、これによりＳＤＨ／ＳＯＮＥＴ層５−４において、ＳＤＨ／ＳＯＮＥＴフレームの中のタイムスロットを確保する技術が知られている（例えば特許文献１参照）。
【特許文献１】特開２０００−３２４１２２号公報（第４頁、図５）
【発明の開示】
【発明が解決しようとする課題】
【０００９】
しかしながら、前述した従来の技術では、以下に示すような問題が生じる。
１．伝送装置１と２とで伝送スピード／方式が違う場合、例えば伝送装置１が１００ＭフルＤｕｐｌｅｘで、伝送装置２が１０ＭハーフＤｕｐｌｅｘである場合、伝送容量が違うためパケット損失が起きたり、フロー制御等の帯域制御手法での調整により、ポーズ（Ｐａｕｓｅ）フレーム等の余分なパケット送出が必要となり、本来伝送できなければならない１０Ｍｂｐｓ以下の伝送特性となり、非常に効率が悪いという問題がある。
【００１０】
ここで、ポーズフレームについて、説明する。図９において、伝送装置１から１００ＭのフルＤｕｐｌｅｘでパケットが伝送装置２側に送出されるものとする。伝送装置２側では、その能力は１０Ｍであるため、大量のパケット破棄が発生する。そこで、相手方の伝送装置１に対して「現在の速度では処理しきれないので、パケットを送出するのをしばらく待って欲しい」旨の情報を送出する。この情報がポーズフレームと呼ばれるものである。この結果、伝送装置１側では、相手方の処理速度１０Ｍに合わせてパケットを送出する。ポーズフレームを用いたこのような制御をフロー制御という。
２．伝送装置１と伝送装置２で伝送スピード／方式が同じ場合でも、各装置毎での周波数偏差（例えば公称１０Ｍの場合に１０Ｍから少しずれた状態、例えば９．９５Ｍ等）により最終的にパケット損失が起きたり、フロー制御等の帯域制御手法での調整によりポーズフレーム等の余分なパケット送出が必要となり、効率が悪くなってしまう。
３．伝送装置１側の回線品質劣化によるリンクダウン（回線が正常でなくなること）が発生した場合、正しくないパケットが伝送装置２側に伝送されるおそれがあり、パケット品質を著しく劣化させるおそれがあるという問題がある。
【００１１】
本発明はこのような課題に鑑みてなされたものであって、伝送装置間のデータ伝送品質を劣化させることのない、効率のよい情報伝送システムを提供することを目的としている。
【課題を解決するための手段】
【００１２】
（１）請求項１記載の発明は、以下の通りである。図１は第１の発明の原理ブロック図である。図９と同一のものは、同一の符号を付して示す。図において、５はルータ、１は該ルータ５と接続される伝送装置、２は伝送装置１と対向側に設けられた伝送装置、７は伝送装置１，２が接続されるリング型中継線、３，４は該リング型中継線７に接続される伝送装置である。これら伝送装置３，４の機能は、伝送装置１，２のものと同じである。そして、図に示すシステムは、ある伝送装置と他の伝送装置とがパケットの送受信を行なうＰ−Ｐ型伝送装置を構成している。
【００１３】
伝送装置１，２において、２０はスピード／デュープレックス情報を格納する専用バイトをペイロード上に挿入する挿入手段、２１は対向装置から送信されたペイロード上の専用バイト内のスピード／デュープレックス情報を検出する検出手段、２２は対向装置に合わせた伝送速度調整を行なう伝送速度調整手段である。
【００１４】
このように構成されたシステムにおいて、スピード／デュープレックス情報を挿入手段２０によりペイロード上に挿入して、リモート情報として相互に通知しあい、検出手段２１によりリモート情報を検出し、該検出手段２１の検出結果に応じて伝送速度調整手段２２が伝送速度を調整する。ここで、デュープレックスとは、フルデュープレックスの場合が伝送装置相互間で同時に双方向データ伝送を行なうものであり、ハーフデュープレックスの場合は、伝送装置相互間で交互にデータ伝送を行なうものである。
（２）請求項２記載の発明は、以下の通りである。図２は第２の発明の原理ブロック図である。図１と同一のものは、同一の符号を付して示す。伝送装置１，２において、２３はリンク情報を格納する専用バイトをペイロード上に挿入する挿入手段、２４は対向装置から送信されたペイロード上の専用バイト内のリンク情報を検出する検出手段、２５は対向装置に合わせたリンク制御を行なうリンク制御手段である。
【００１５】
このように構成されたシステムにおいて、リンク情報を挿入手段２３によりペイロード上に挿入して、リモート情報として相互に通知しあい、検出手段２４によりリモート情報を検出し、該検出手段２４の検出結果に応じてリンク制御手段２５がリンク制御を行なう。
（３）請求項３記載の発明は、以下の通りである。図３は第３の発明の原理ブロック図である。図１と同一のものは、同一の符号を付して示す。伝送装置１，２において、２６はフロー制御情報を格納する専用バイトをペイロード上に挿入する挿入手段、２７は対向装置から送信されたペイロード上に専用バイト内のフロー制御情報を検出する検出手段である。
【００１６】
このように構成されたシステムにおいて、フロー制御情報を挿入手段２６によりペイロード上に挿入して、リモート情報として相互に通知しあい、検出手段２７によりリモート情報を検出する。伝送装置１，２は検出結果に応じたフロー制御を行なう。
（４）請求項４記載の発明は、以下の通りである。図４は第４の発明の原理ブロック図である。図１と同一のものは、同一の符号を付して示す。伝送装置１,２において、２８は自局トラフィック流量情報を格納する専用バイトをペイロード上に挿入する挿入手段、２９は対向装置から送信されたペイロード上の専用バイト内の自局トラフィック情報を検出する検出手段、３０は対向装置に合わせたトラフィックを調整するトラフィック調整手段である。
【００１７】
このように構成されたシステムにおいて、トラフィック流量情報を挿入手段２８によりペイロード上に挿入して、リモート情報として相互に通知しあい、検出手段２９によりトラヒック情報を検出する。トラフィック調整手段３０は、検出したトラフィック情報に応じたトラフィック調整を行なう。
（５）請求項５記載の発明は、以下の通りである。図５は第５の発明の原理ブロック図である。図１と同一のものは、同一の符号を付して示す。伝送装置１,２において、３１は自局速度偏差情報を格納する専用バイトをペイロード上に挿入する挿入手段、３２は対向装置から送信されたペイロード上の専用バイト内の自局速度偏差情報を検出する検出手段、３３は対向装置に合わせた伝送速度調整を行なう伝送速度調整手段である。
【００１８】
このように構成されたシステムにおいて、自局速度偏差情報を格納する専用バイトをペイロード上に挿入して、リモート情報として相互に通知しあい、検出手段３２により速度偏差情報を検出する。伝送速度調整手段３３は、検出した速度偏差情報に応じて伝送速度を調整する。
【発明の効果】
【００１９】
（１）請求項１記載の発明によれば、それぞれ対向する伝送装置間でスピード／デュープレックス情報をやりとりすることにより、相互の伝送速度を調整することができ、伝送装置間のデータ伝送品質を劣化させることのない、効率のよい情報伝送システムを提供することができる。
（２）請求項２記載の発明によれば、それぞれ対向する伝送装置間でリンク情報をやりとりすることにより、リンクが張られ、データ伝送の準備ができたことを確認することができる。また、リンクダウンとなった場合を確認することができる。
（３）請求項３記載の発明によれば、それぞれ対向する伝送装置間でフロー制御情報をやりとりすることにより、フロー制御をスムーズに行なうことができる。
（４）請求項４記載の発明によれば、それぞれ対向する伝送装置間でトラフィック流量情報をやりとりすることにより、トラフィックを流量の小さい方に合わせることができ、伝送装置間のデータ品質を劣化させることのない情報伝送システムを提供することができる。
（５）請求項５記載の発明によれば、それぞれ対向する伝送装置間で速度偏差情報をやりとりすることにより、トラフィックを速度の遅い方に合わせることができ、伝送装置間のデータ品質を劣化させることのない、効率のよい伝送情報システムを提供することができる。
【発明を実施するための最良の形態】
【００２０】
以下、図面を参照して本発明の実施の形態例を詳細に説明する。
【００２１】
本発明の伝送装置では、イーサネットパケットを伝送するペイロード上に例えば２バイト分の領域を設け、そのバイト内に前述したようなスピード／デュープレックス情報、リンク情報、フロー制御情報、自局トラフィック情報、自局速度偏差情報等を自局情報を挿入し、相手装置側に伝達することで、高品質、高効率なパケット伝送を可能とするものである。また、ペイロード上にマッピングすることで、中継装置がＳＤＨ系であれば、伝送可能であり、本発明を有する装置は、伝送経路（パス）の両端のみですむという利点もある。
【００２２】
ペイロード内に設けたバイト情報により、相手局と同じ伝送スピード／方式に合わせることができ、また細かなトラフィック調整が可能となる。また、他局で発生したリンクダウン情報（リンクに障害が発生したことを示す情報）により、自局側でのパケット送出を止める、或いは伝送路の切り替え等の防衛手段をとることが可能となる。
【００２３】
図６は本発明によるフレームフォーマット例を示す図である。図１０と同一のものは、同一の符号を付して示す。図に示す例は図１０と同様、ＳＴＭ−４フレームフォーマットを示している。図において、１０はセクションオーバヘッド、１１はパケット、１２はパスオーバヘッド、１３はペイロードである。４０は情報伝送に係わる各種の情報が挿入される情報挿入領域である。該情報挿入領域４０には、挿入手段２０（図１参照）、挿入手段２３（図２参照）、挿入手段２６（図３参照）、挿入手段２８（図４参照）、挿入手段３１からそれぞれ情報伝送に必要な各種の情報が挿入される。ここで、各種の情報とは、前述したスピード／デュープレックス情報、リンク情報、フロー制御情報、自局トラフィック情報、自局速度偏差情報等の情報である。
【００２４】
情報挿入領域４０は、情報用バイト１（Ｌ）と２（Ｒ）の２バイト構成の場合を示す。なお、情報用バイトは２バイトに限るものではなく、任意のバイトを用いることができる。例えば、設定する情報が多い場合には、情報用バイト数は３バイト以上になることもある。
【００２５】
図７は本発明による情報用バイトの詳細構成例を示す図である。バイト１（Ｌ）がＢｉｔ０〜Ｂｉｔ７までの８ビット、バイト２（Ｒ）がＢｉｔ０〜Ｂｉｔ７までの８ビット構成である。このような情報バイトにおける情報の割り当て例を以下に説明する。例えば、バイト１（Ｌ）のＢｉｔ７には自局リンク情報が割り当てられる。自局リンク情報は、“０”の場合がリンクアップ（Ｌｉｎｋ  Ｕｐ）、“１”の場合がリンクダウン（Ｌｉｎｋ  Ｄｏｗｎ）である。ここで、リンクアップとは、回線がアクティブ状態を、リンクダウンとは回線がノンアクティブ状態又は故障状態を示す。
【００２６】
次に、バイト１（Ｌ）のＢｉｔ３には自局フロー制御設定が割り当てられる。自局フロー制御設定は、“０”の場合が制御あり、“１”の場合が制御なしである。ここで、フロー制御とは、前述したように、対向伝送装置側でデータを処理しきれなくなった場合には、相手方伝送装置側にポーズフレームを送出して、相手方伝送装置からのデータの送出を抑制するような制御をいう。
【００２７】
次に、バイト１（Ｌ）のＢｉｔ２には自局流量情報が割り当てられる。自局流量情報は、“０”の場合が通常状態、“１”の場合が異常状態を示す。次に、バイト２（Ｒ）のＢｉｔ７には自局伝送速度情報が割り当てられる。自局伝送速度情報は、“０”の場合が１０Ｍモード、“１”の場合が１００Ｍモードである。
【００２８】
次に、バイト２（Ｒ）のＢｉｔ６には自局伝送速度情報が割り当てられる。“０”の場合がＮ／Ａモード（不適用）、“１”の場合が１０００Ｍモードである。次に、バイト２（Ｒ）のＢｉｔ５は自局伝送デュープレックス情報が割り当てられる。“０”の場合がハーフデュープレックス、“１”の場合がフルデュープレックスの場合を示す。
【００２９】
ここで、上記した情報バイトへのビット割り当ての具体的動作例について説明する。
（スピード／デュープレックス情報の場合）
図１がスピード／デュープレックス情報の場合の動作説明図である。伝送装置１側の挿入手段２０は、バイト２のＢｉｔ７に“０”を、Ｂｉｔ５に“１”を挿入して対向の伝送装置２に伝送する。対向側の伝送装置２側では、検出手段２１が、データ伝送スピードが１０Ｍモードでフルデュープレックスでデータが転送されることを認識する。そして、自己も相手方の伝送方式に合わせるようにする。この結果、伝送装置１と伝送装置２とは、データ伝送速度が１０Ｍ、フルデュープレックスモードでデータ伝送を行なうことができる。なお、伝送装置１から伝送速度１００Ｍ／フルデュープレックスで情報が対向伝送装置２側に送られた場合において、伝送装置２側で１００Ｍのデータ伝送が不可能である場合には、前述したポーズフレームを用いて伝送装置１に通知することができ、この場合には、最終的にそれぞれ１０Ｍのスピードでデータ伝送が行われる。
【００３０】
このように、この実施の形態例によれば、それぞれ対向する伝送装置間でスピード／デュープレックス情報をやりとりすることにより、相互の伝送速度を調整することがてき、また伝送方式も統一することができる。従って、伝送装置間のデータ伝送品質を劣化させることのない、効率のよい情報伝送システムを提供することができる。
（リンク情報の場合）
図２がリンク制御の場合の動作説明図である。伝送装置１側の挿入手段２３は、バイト１のＢｉｔ７にリンク情報を挿入して対向の伝送装置２に伝送する。ここで、伝送装置１がリンク情報として“０”を挿入して伝送したものとする。対向側の伝送装置２側では、検出手段２４がＢｉｔ７の“０”を検出する。この結果、伝送装置１側がアクティブであることを認識し、リンク制御手段２５が伝送装置１と伝送装置２との間でデータ伝送を行なう。なお、伝送装置１で挿入手段２３がバイト１のＢｉｔ７に“１”を挿入して対向装置側に伝送した時には、伝送装置２側では、このことを検出して、リンクダウン状態にあると判断し、リンク制御手段２５がしかるべき対応措置をとるようにする。
【００３１】
このように、この実施の形態例によれば、それぞれ対向する伝送装置間でリンク情報をやりとりすることにより、リンクが張られ、データの準備ができたこと確認することができる。
（フロー制御の場合）
図３がフロー制御の場合の動作説明図である。伝送装置１側の挿入手段２６は、バイト１のＢｉｔ３にフロー制御情報を挿入して対向の伝送装置２に伝送する。ここで、伝送装置１がフロー制御情報としてＢｉｔ３に“０”を挿入して伝送したものとする。対向装置２側の検出手段２７は、Ｂｉｔ３が“０”になっていることから、フロー制御ありと認識し、例えば前述したポーズフレーム等を用いてフロー制御を行なう。若し、Ｂｉｔ３が“１”になっている場合には、フロー制御は行なわない。
【００３２】
このように、この実施の形態例によれば、それぞれ対向する伝送装置間でフロー制御情報をやりとりすることにより、フロー制御をスムーズに行なうことができる。
（トラフィック流量制御）
図４がトラフィック流量制御の場合の動作説明図である。伝送装置１側の挿入手段２８はバイト１のＢｉｔ２にトラフィック流量制御情報を挿入して対向の伝送装置２に伝送する。ここで、伝送装置１がトラフィック流量制御情報として“０”を挿入して伝送したものとする。対向装置２側の検出手段２９はトラフィック流量制御が通常状態であると認識し、その旨をトラフィック調整手段３０に通知する。トラフィック調整手段３０は、対向伝送装置との間で通常のトラフィック流量制御を行なう。ここで、対向装置２側の検出手段２９が“１”を検出したものとすると、該検出手段２９はこのことをトラフィック調整手段３０に通知し、トラフィック調整手段３０は、異常状態に対応した制御を行なう。
【００３３】
このように、この実施の形態例によれば、それぞれ対向する伝送装置間でトラフィック流量情報をやりとりすることにより、トラフィックを流量の小さい方に合わせることができ、伝送装置間のデータ品質を劣化させることのない情報伝送システムを提供することができる。
（速度制御）
図５が速度制御の場合の動作説明図である。例えば、伝送装置１側の挿入手段３１はバイト２のＢｉｔ４に“０”を挿入して伝送したものとする。対向装置２側の検出手段３２は“０”を認識すると相手方のデータ伝送速度が１０Ｍ±αであることを認識し、伝送速度調整手段３３にそのことを通知する。伝送速度調整手段３３は、自己の伝送速度の正確な値を認識しているので、相手方伝送装置１の速度偏差と自己の速度偏差とを比較して、何れか速度の低い方に合わせてデータ伝送するようにする。この目的のために、伝送速度調整手３３は、相手方の伝送速度の正確な値、例えば９．５Ｍをデータとして受ける。そして、自己の速度偏差が１０．２Ｍである場合には、相手方伝送装置との間で低い方の値である９．５Ｍの速度でデータ転送を行なうようにする。
【００３４】
このように、この実施の形態例によれば、それぞれ対向する伝送装置間で速度偏差情報をやりとりすることにより、トラフィックを速度の遅いほうに合わせることができ、伝送装置間のデータ品質を劣化させることのない、効率のよい伝送情報システムを提供することができる。
【００３５】
なお、上述の説明では、速度偏差情報の制御については述べなかったが、バイト１又はバイト２の空いているビットを用いて、相互に情報のやりとりを行ない、速度偏差がある場合についても、最適なデータ伝送を行なうことができる。
【００３６】
図８は本発明による運用面での効果を示す図である。図１と同一のものは、同一の符号を付して示す。リモート情報をやりとりすることで、両装置間での伝送速度が一致した状態での通信が可能となるので、仕様通りの実伝送スピードを安定した状態で維持することができる。図８は、伝送装置１と伝送装置２とが伝送速度１０Ｍでハーフデュープレックスでデータ伝送している状態を示している。
【図面の簡単な説明】
【００３７】
【図１】第１の発明の原理ブロック図である。
【図２】第２の発明の原理ブロック図である。
【図３】第３の発明の原理ブロック図である。
【図４】第４の発明の原理ブロック図である。
【図５】第５の発明の原理ブロック図である。
【図６】本発明によるフレームフォーマット例を示す図である。
【図７】本発明による情報用バイトの詳細構成例を示す図である。
【図８】本発明による運用面での効果を示す図である。
【図９】従来システムの概念図である。
【図１０】通常のＳＤＨフレームフォーマットの構成例を示す図である。
【符号の説明】
【００３８】
１    伝送装置
２    伝送装置
３    伝送装置
４    伝送装置
５    ルータ
６    ルータ
７    リング型中継線
２０  挿入手段
２１  検出手段
２２  伝送速度調整手段
【図１】
2005080038.tif 000003
【図２】
2005080038.tif 000004
【図３】
2005080038.tif 000005
【図４】
2005080038.tif 000006
【図５】
2005080038.tif 000007
【図６】
2005080038.tif 000008
【図７】
2005080038.tif 000009
【図８】
2005080038.tif 000010
【図９】
2005080038.tif 000011
【図１０】
2005080038.tif 000012